【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
乳酸を脱水重合して、又はラクチドを開環重合してポリ乳酸を製造するにあたり、一般式（１）又は一般式（２）で表される１種又は２種以上のアミド系化合物の存在下で重合することを特徴とするポリ乳酸の製造方法。
Ｒ１−（ＣＯＮＨ−Ｒ２）ａ                  （１）
［式中、Ｒ１は炭素数２〜３０の飽和或いは不飽和の脂肪族ポリカルボン酸残基、飽和若しくは不飽和脂環族ポリカルボン酸残基又は芳香族ポリカルボン酸残基を表す。Ｒ２は炭素数１〜１８のアルキル基若しくは炭素数２〜１８のアルケニル基、炭素数３〜１２のシクロアルキル基若しくはシクロアルケニル基、フェニル基、ナフチル基、アントリル基、式（ａ）、式（ｂ）、式（ｃ）又は式（ｄ）で示される基を表す。ａは２〜６の整数を示す。］
【化１】
1998087796.tif 000001
［式中、Ｒ３は炭素数１〜１８のアルキル基、炭素数２〜１８のアルケニル基、炭素数１〜１８のアルコキシ基、炭素数３〜１８のシクロアルキル基、フェニル基又はハロゲン原子を表す。ｂは１〜５の整数を表す。］
【化２】
1998087796.tif 000002
［式中、Ｒ４は炭素数１〜４の直鎖状或いは分岐鎖状のアルキレン基を表す。Ｒ５は前記のＲ３と同義である。ｃは０〜５の整数を表す。］
【化３】
1998087796.tif 000003
［式中、Ｒ６は前記のＲ３と同義である。ｄは１〜５の整数を表す。］
【化４】
1998087796.tif 000004
［式中、Ｒ７は前記Ｒ４と、Ｒ８は前記のＲ３と夫々同義である。ｅは０〜５の整数を示すす。］
Ｒ９−（ＮＨＣＯ−Ｒ１０）ｆ              （２）
［式中、Ｒ９は、炭素数３〜２５の飽和若しくは不飽和の脂環族ポリアミン残基又は芳香族ポリアミン残基を表す。Ｒ１０は前記のＲ２と同義である。ｆは２〜６の整数を表す。］
【請求項２】
ラクチドを開環重合してポリ乳酸を製造する請求項１に記載のポリ乳酸の製造方法。
【請求項３】
請求項１又は請求項２の製造方法で得られたポリ乳酸系樹脂組成物。
【手続補正２】
【補正対象書類名】明細書
【補正対象項目名】００１１
【補正方法】変更
【補正の内容】
【００１１】
【化５】
1998087796.tif 000005
［式中、Ｒ３は炭素数１〜１８のアルキル基、炭素数２〜１８のアルケニル基、炭素数１〜１８のアルコキシ基、炭素数３〜１８のシクロアルキル基、フェニル基又はハロゲン原子を表す。ｂは１〜５の整数を表す。］


【手続補正３】
【補正対象書類名】明細書
【補正対象項目名】００１２
【補正方法】変更
【補正の内容】
【００１２】
【化６】
1998087796.tif 000006
［式中、Ｒ４は炭素数１〜４の直鎖状或いは分岐鎖状のアルキレン基を表す。Ｒ５は前記のＲ３と同義である。ｃは０〜５の整数を表す。］


【手続補正４】
【補正対象書類名】明細書
【補正対象項目名】００１３
【補正方法】変更
【補正の内容】
【００１３】
【化７】
1998087796.tif 000007
［式中、Ｒ６は前記のＲ３と同義である。ｄは１〜５の整数を表す。］


【手続補正５】
【補正対象書類名】明細書
【補正対象項目名】００１４
【補正方法】変更
【補正の内容】
【００１４】
【化８】
1998087796.tif 000008
［式中、Ｒ７は前記のＲ４と、Ｒ８は前記のＲ３と夫々同義である。ｅは０〜５の整数を表す。］


【手続補正６】
【補正対象書類名】明細書
【補正対象項目名】００１９
【補正方法】変更
【補正の内容】
【００１９】
Ｒ１１−（ＣＯＯＨ）ｇ                  （１ａ）
［式中、Ｒ１１は前記のＲ１と、ｇは前記のａと夫々同義である。］


【手続補正７】
【補正対象書類名】明細書
【補正対象項目名】００２０
【補正方法】変更
【補正の内容】
【００２０】
Ｒ１２−ＮＨ２                            （１ｂ）
［式中、Ｒ１２は前記のＲ２と同義である。］


【手続補正８】
【補正対象書類名】明細書
【補正対象項目名】００２６
【補正方法】変更
【補正の内容】
【００２６】
【化９】
1998087796.tif 000009
［式中、Ｒ１３は炭素数１〜１８のアルキル基若しくはアルケニル基若しくはアルコキシ基、炭素数３〜１２のシクロアルキル基、フェニル基又はハロゲン原子を表す。ｈは１〜５の整数を表す。］


【手続補正９】
【補正対象書類名】明細書
【補正対象項目名】００２７
【補正方法】変更
【補正の内容】
【００２７】
【化１０】
1998087796.tif 000010
［式中、Ｒ１４は炭素数１〜４の直鎖状又は分岐鎖状のアルキレン基を表す。Ｒ１５は前記のＲ１３と同義である。ｉは０〜５の整数を表す。］


【手続補正１０】
【補正対象書類名】明細書
【補正対象項目名】００３１
【補正方法】変更
【補正の内容】
【００３１】
【化１１】
1998087796.tif 000011
［式中、Ｒ１６は前記のＲ１３と同義である。ｊは１〜５の整数を表す。］


【手続補正１１】
【補正対象書類名】明細書
【補正対象項目名】００３２
【補正方法】変更
【補正の内容】
【００３２】
【化１２】
1998087796.tif 000012
［式中、Ｒ１７は前記のＲ１４と、Ｒ１８は前記のＲ１３と夫々同義である。ｋは０〜５の整数を表す。］


【手続補正１２】
【補正対象書類名】明細書
【補正対象項目名】００３６
【補正方法】変更
【補正の内容】
【００３６】
Ｒ１９−（ＮＨ２）ｌ                      （２ａ）
［式中、Ｒ１９は前記のＲ９と、ｌはｆと夫々同義である。］


【手続補正１３】
【補正対象書類名】明細書
【補正対象項目名】００３７
【補正方法】変更
【補正の内容】
【００３７】
Ｒ２０−ＣＯＯＨ                          （２ｂ）
［式中、Ｒ２０は前記のＲ１０と同義である。］


【手続補正１４】
【補正対象書類名】明細書
【補正対象項目名】００４２
【補正方法】変更
【補正の内容】
【００４２】
【化１３】
1998087796.tif 000013
［式中、Ｒ２１は前記のＲ１３と同義である。ｍは１〜５の整数を表す。］


【手続補正１５】
【補正対象書類名】明細書
【補正対象項目名】００４３
【補正方法】変更
【補正の内容】
【００４３】
【化１４】
1998087796.tif 000014
［式中、Ｒ２２は前記のＲ１４と、Ｒ２３は前記のＲ１３と夫々同義である。ｎは０〜５の整数を表す。］


【手続補正１６】
【補正対象書類名】明細書
【補正対象項目名】００４７
【補正方法】変更
【補正の内容】
【００４７】
【化１５】
1998087796.tif 000015
［式中、Ｒ２４は前記のＲ１３と同義である。ｏは１〜５の整数を表す。］


【手続補正１７】
【補正対象書類名】明細書
【補正対象項目名】００４８
【補正方法】変更
【補正の内容】
【００４８】
【化１６】
1998087796.tif 000016
［式中、Ｒ２５は前記のＲ１４と、Ｒ２６は前記のＲ１３と夫々同義である。ｐは０〜５の整数を表す。］